【事件の表示】
　特願２００４−５２６１７２「Ｘ線を方向付けるための光学デバイス及びその方法」拒絶査定不服審判事件〔平成１６年　２月１２日国際公開、ＷＯ２００４／０１３８６７、平成１７年１１月１７日国内公表、特表２００５−５３４９２１〕について、次のとおり審決する。
【結　論】
　本件審判の請求は、成り立たない。
【理　由】
第１　手続の経緯
　本願は、２００３年７月２５日（パリ条約による優先権主張外国庁受理２００２年８月２日、米国）を国際出願日とする出願であって、平成２３年１月２０日付けで拒絶査定がなされた。これに対して、同年５月２３日に拒絶査定に対する審判請求がなされるとともに、同時に手続補正がなされたものである。
　その後、当審において、平成２５年４月１７日付けで拒絶理由が通知され、同年１０月２３日付けで意見書が提出されるとともに、同日付けで手続補正書が提出された。
　
第２　本願発明について
１．本願発明
　本願の特許請求の範囲の請求項１に係る発明（以下「本願発明」という。）は、平成２５年１０月２３日付けの手続補正により補正された特許請求の範囲の請求項１に記載された事項により特定される、以下のとおりのものである。
　
「複数の二重湾曲光学結晶であって、その各々が少なくとも１つの格子面を有し、半径Ｒの少なくとも１つのローランド円及びＸ線源とＸ線標的とを結ぶＸ線源／標的線を形成するように前記Ｘ線源と前記Ｘ線標的とに従って位置決めされる、前記複数の二重湾曲光学結晶、を備えたＸ線を方向付けるための光学デバイスにおいて、
　前記Ｘ線を前記Ｘ線源から前記Ｘ線標的に点対点集束させ、
　前記複数の二重湾曲光学結晶の各々が、前記ローランド円の円周上を中間列とする２列以上のマトリックス状又はモザイク状に配置され、前記ローランド円の平面において２Ｒの半径の表面を有し、
　さらに前記複数の二重湾曲光学結晶の第１二重湾曲結晶の表面に対して該第１二重湾曲結晶の前記少なくとも１つの格子面が成す角度は、前記複数の二重湾曲光学結晶の少なくとも１個の第２二重湾曲結晶の表面に対して該第２二重湾曲結晶の前記少なくとも１つの格子面が成す角度と異なり、
　前記複数の二重湾曲光学結晶は、前記Ｘ線が指し向けられる表面を備え、前記複数の二重湾曲光学結晶の少なくとも１個は、ブラッグ角θＢを有し、かつ前記複数の二重湾曲光学結晶の前記少なくとも１個の二重湾曲光学結晶の前記表面と角γを成して配向された格子面を備え、
　前記中間列に対する上段列又は下段列に配置された前記複数の二重湾曲光学結晶は、前記二重湾曲光学結晶の中間列から前記ローランド円の平面に対して直交する方向に偏位されていることを特徴とする光学デバイス。」
　
２．引用刊行物
　当審で通知した拒絶の理由に引用され、本願の優先日前に頒布された刊行物である、特開平６−１０２３９９号公報（以下「引用文献」という。）には、以下の事項が記載されている。（下線は当審が付した。）
　
（ａ）「【発明の詳細な説明】
【０００１】
【産業上の利用分野】本発明は、Ｘ線分析装置において、集中光学系に用いるＸ線モノクロメータに関するものである。
【０００２】
【従来の技術】一般にＸ線分析装置において、Ｘ線源からのＸ線を試料に集中させたり、あるいは電子ビーム等を試料に照射し、該試料から放出されるＸ線を検出器に集中させる等の集中光学系の装置としてＸ線モノクロメータが知られている。このＸ線モノクロメータは、Ｘ線放射の中から選択したごく一部分のみを試料あるいは検出器に到達させることによって、シグナル／バックグラウンド比を向上させたり、通常は分離できない二重線の主線を分離する等のいわゆるＸ線の単色化を行う装置である。
【０００３】この単色化を行う方法は、一般に分光結晶の回折を用いるＸ線エネルギーの分散を用いるものであり、
ブラッグの式として知られる
　 　 　 ｎλ＝２ｄsinθ　 　 　 　 　 　 　 …（１）
ただし、ｎ＝回折次数、λ＝Ｘ線の波長、ｄ＝格子面間隔、θ＝ブラッグ角によって表される関係
【０００４】Ｘ線束を絞ったり、あるいは集中させる目的の前記Ｘ線モノクロメータとして、使用される分光結晶の形状から、ヨハンソン式モノクロメータとヨハン式モノクロメータが知られている。始めに、ヨハンソン式モノクロメータについて説明する。図４は、ヨハンソン式モノクロメータにおける従来のヨハンソン式集中光学系の構成図である。
【０００５】図４において、１０はヨハンソン結晶、ｒはローランド円、Ｏは湾曲結晶面中心、Ｏ´はローランド円中心、Ｒはローランド円半径、２θは回折角、ａ、ｃは分光点、ｂは分光中心点である。ヨハンソン結晶１０は、ローランド円ｒの直径２Ｒを半径とする曲面で結晶表面を削り出し、さらにローランド円ｒに接するように湾曲させることによって分光結晶を構成する。
【０００６】このヨハンソン式モノクロメータにおいては、分光結晶の湾曲面すべてが完全にローランド円ｒ上にあるので、分光結晶の中心部である分光中心点ｂ、及び分光結晶の両端部である分光点ａ、ｃのそれぞれで分光されたＸ線は試料上あるいは検出器のスリット面上に完全集中する。図４において、点Ａ及び点ＢはＸ線源、あるいは試料または検出器のスリット面の位置に対応し、全てローランド円ｒ上に存在する。
【０００７】例えば、
点ＡをＸ線源とし、点Ｂを試料または検出器のスリット面とする
【０００８】したがって、ローランド円ｒ上の点Ａから放出されたＸ線はヨハンソン結晶１０によって分光され、すべてローランド円ｒ上の点Ｂに到達して完全集中することになる。次に、ヨハン式モノクロメータについて説明する。図５は、ヨハン式モノクロメータにおける従来のヨハンソン式集中光学系の構成図である。
【０００９】図５において、１１はヨハン結晶、ｒはローランド円、Ｏは湾曲結晶面中心、Ｏ´はローランド円中心、Ｒはローランド円半径、２θは回折角、Ｗはヨハン収差である。ヨハン結晶１１は、結晶面と平行に切り出した平板をローランド円の半径Ｒの２倍の２Ｒで湾曲させることによって構成される。このとき分光結晶の湾曲面のすべてが完全にローランド円ｒ上に存在しない構成となっている。このヨハン式モノクロメータにおいては、分光されたＸ線は試料あるいは検出器のスリット面上に完全集中することなく近似集中する。」
　
（ｂ）「【００１７】
【実施例】以下、本発明の実施例を図を参照しながら詳細に説明する。図１は本発明のＸ線モノクロメータの集中光学系の構成図であり、図２は本発明のＸ線モノクロメータの集中光学系を説明するための構成図である。図１及び図２において、１は非対称カット分光結晶、２は対称カット分光結晶、３は平板分光結晶、Ｏは湾曲結晶面中心及び対称カット分光結晶２の湾曲中心、Ｏ´はローランド円中心、Ｐ、Ｐ１、Ｐ２は分光中心点、
Ｒはローランド円半径
【００１８】
本発明のＸ線モノクロメータの集中光学系に用いる分光結晶は、前記従来のヨハン式モノクロメータにおいては１枚の結晶で構成されるのに対して、ヨハン式モノクロメータの分光結晶を結晶の切り出し角度を異ならせた複数枚の分光結晶によって構成し、さらにその複数枚の分光結晶の内、非対称カット分光結晶１は、湾曲中心Ｙを中心とする半径２Ｒで湾曲させ、また、対称カット分光結晶２は湾曲結晶面中心Ｏを中心とする半径２Ｒで湾曲させるものである。
【００１９】始めに本発明の構成上の特徴点の説明上、図２の本発明のＸ線モノクロメータの集中光学系によって説明する。図２に示される平板分光結晶３は、分光結晶を湾曲させる以前の状態を示すものである。本発明のＸ線モノクロメータの集中光学系の構成では、図１に示すように平板分光結晶３は、湾曲中心Ｙを中心とする半径２Ｒで湾曲させた非対称カット分光結晶１と、湾曲結晶面中心Ｏを中心とする半径２Ｒで湾曲させた対称カット分光結晶２の構成によってなる。
【００２０】
平板分光結晶３は、その結晶格子の方向を示す結晶格子面ｔと結晶の切削方向を示す結晶表面ｕを有している。
平板分光結晶３における結晶表面ｕ上の任意の位置に分光中心点Ｐを設定し、その分光中心点Ｐをローランド円ｒ上に接して配置する。
【００２１】また、分光中心点Ｐから結晶格子面ｔに対して垂直に延びる結晶格子面法線ｌ１は図２において二点鎖線で示されており、ローランド円ｒの湾曲結晶面中心Ｏを通過している。この構成において、
結晶の切出し角度αは、結晶格子面ｔと結晶表面ｕの成す角度であり
【００２２】前記構成によって、回折角２θで前記ブラッグの式（１）ｎλ＝２ｄsinθを満足しながら分光するＸ線は、結晶格子面法線ｌを反射の中心線とすると、中心が湾曲結晶面中心Ｏで半径が２Ｒ cosαcos θである円Ｃの接線となる。つまり、
図１において、Ｘ線は前記円Ｃの接点Ａあるいは接点Ｂから平板分光結晶３のローランド円ｒ上の分光中心点Ｐに向けて放出され、さらに前記分光中心点Ｐから前記円Ｃの接点Ｂあるいは接点Ａに向けて分光される。
【００２３】したがって、結晶の切出し角度αを変えることによって、回折角２θで前記ブラッグの式（１）ｎλ＝２ｄsinθを満足しながら分光するＸ線の通過する軌跡、つまり、分光Ｘ線のローランド円ｒ上を通過する位置を変更することができる。次に、図２によって非対称カット分光結晶１及び対称カット分光結晶２を用いた本発明のＸ線モノクロメータの集中光学系の構成について説明する。
【００２４】図１の非対称カット分光結晶２及び対称カット分光結晶１は、図２の直線状の平板分光結晶３を非対称カット分光結晶１については湾曲中心Ｙを中心とする半径２Ｒで湾曲させ、また、対称カット分光結晶２については湾曲結晶面中心Ｏを中心とする半径２Ｒで湾曲させて形成されるものである。対称カット分光結晶２は、ローランド円ｒに対してその分光中心Ｐ２を湾曲結晶面中心Ｏとローランド円の中心Ｏ´に対して対称の位置に配置し、さらに結晶格子面法線ｌ２に対して対称に削り出されて形成される。
【００２５】一方、非対称カット分光結晶１は、前記図２で示したようにその分光中心Ｐ１をローランド円の中心Ｏ´と湾曲結晶面中心Ｏを結ぶローランド円ｒの中心線に対してずらした位置に配置し、さらに非対称カット分光結晶１の結晶表面の法線ｍ１に対して非対称に削り出されて形成される。なお、図１においては分光中心Ｐ１をローランド円の中心Ｏ´と湾曲結晶面中心Ｏを結ぶローランド円ｒの中心線、あるいは非対称カット分光結晶１を結晶格子面法線ｌ２に対して一方の側のみ示しているが、その反対側においても設けて非対称カット分光結晶と対称カット分光結晶の複数枚の分光結晶によって一つの集中光学系が構成される。
【００２６】次に、図１において対称カット分光結晶２によるＸ線の焦点と非対称カット分光結晶１によるＸ線の焦点のローランド円ｒ上における位置関係を説明する。始めに、対称カット分光結晶２によるＸ線の焦点位置を説明する。
Ｘ線を回折角２θでブラッグの式（１）ｎλ＝２ｄsinθを満足させながら対称カット分光結晶２によって分光する
【００２７】次に、非対称カット分光結晶１によるＸ線の焦点位置を説明する。一方、
Ｘ線を回折角２θでブラッグの式（１）ｎλ＝２ｄsinθを満足させながら非対称カット分光結晶１によって分光する
【００２８】前記円Ｃ１の半径は２Ｒcosαcosθであるのに対して、前記円Ｃ２の半径は２Ｒcosθであるため、円Ｃ１と円Ｃ２の半径の間には円Ｃ１の半径≦円Ｃ２の半径の関係がある。前記対称カット分光結晶２は、分光中心点Ｐ２を同じにする従来のヨハン結晶の一部分と見ることができる。したがって、非対称カット分光結晶１によって分光されるＸ線がローランド円ｒと交差する位置は、従来のヨハン結晶によって分光されるＸ線がローランド円ｒと交差する位置よりも、ヨハンソン結晶による完全な集中光学系による位置に近づけることができ、ヨハン収差を減少させることができる。
【００２９】次に、前記の非対称カット分光結晶によってヨハン収差が減少する状態を、図３の従来のヨハン結晶を用いた分光による焦点位置と本発明の非対称カット分光結晶を用いた分光による焦点位置の比較図によって説明する。図３において、Ｏは湾曲結晶面中心、Ｏ´はローランド円中心、ａは非対称結晶の分光結晶面上の分光点、ａ´はヨハン結晶面上の分光点、Ｐ１は非対称結晶の分光中心点、Ｐ２は対称結晶の分光中心点、Ｒはローランド円半径、Ｃ１、Ｃ２は円、Ａ、Ｂは円Ｃ１に対する分光点ａからの接点、Ａ´、Ｂ´は円Ｃ２に対する分光中心点ａ´からの接点、Ａ２、Ｂ２は円Ｃ２に対する分光中心点Ｐ２からの接点、ｒはローランド円、ｌ１は結晶格子面法線、Ｄは分光点ａと接点Ｂを結ぶ接線の延長線とローランド円ｒとの交点、Ｄ´は分光点ａ´と接点Ｂ´を結ぶ接線の延長線とローランド円ｒとの交点である。
【００３０】図３において、分光中心点Ｐ１は本発明の非対称カット分光結晶上における分光中心点であり、また分光中心点Ｐ２は従来のヨハン結晶（図示していない）の分光中心点であるとともに本発明の対称カット分光結晶上における分光中心点である。また、分光点ａは本発明の非対称カット分光結晶上の端部における分光点であり、分光点ａ´は従来のヨハン結晶（図示していない）の端部における分光点である。
【００３１】従来のヨハン結晶を用いた分光Ｘ線の軌跡は、半径２Ｒcosθで表される円Ｃ２上の接点Ａ´と、従来のヨハン結晶（図示していない）の端部における分光点ａ´と、円Ｃ２上の接点Ｂ´とを結ぶものである。そして、Ｘ線は前記したように接点Ｂ´の延長上でローランド円ｒと交差する点Ｄ´において焦点を形成し、点Ｄ´と分光中心点Ｐ２に対するローランド円ｒ上の焦点Ｂ２の間でヨハン収差Ｗが生じることとなる。
【００３２】これに対して、本発明の非対称カット分光結晶を用いた分光によるＸ線の軌跡は、半径２Ｒcosαcosθの円Ｃ１上の接点Ａと、分光点ａと円Ｃ２上の接点Ｂを結ぶものである。そして、分光点ａと円Ｃ２上の接点Ｂを結ぶ線分の延長上でローランド円ｒと交差する焦点Ｄは、対称カット分光結晶による分光の焦点Ｂ２に一致し、ヨハン収差Ｗを減少させることができる。また、前記分光点ａがローランド円ｒ上の分光中心点Ｐ１の場合には、焦点Ｄは対称カット分光結晶による分光の焦点Ｂ２に完全に一致する。
【００３３】したがって、本発明の切出し角度αを異ならせた複数枚の分光結晶を用いることによって、従来のヨハン結晶を用いた場合よりもヨハン収差Ｗを減少させることができる。
前記実施例においては、分光結晶の湾曲をローランド円に沿って円筒状に湾曲させるいわゆるシングルベントによるもので説明したが、分光結晶の湾曲をローランド球に沿って球状に湾曲させるダブルベントによって実現することも可能である。
　
（ｃ）「【図１】
【図２】
【図３】
【図４】
【図５】
 　 　 　 　 　 　 　 　 　 　 　 　 　 　 　 　 　 　 　 　 」
　
　すると、上記引用文献の記載事項から、引用文献には、以下の発明（以下「引用発明」という。）が記載されている。
　
「ヨハン式モノクロメータの分光結晶を結晶の切出し角度を異ならせた複数枚の分光結晶によって構成した分光結晶を用いたＸ線モノクロメータの集中光学系であって、
　その複数枚の分光結晶の内、非対称カット分光結晶１は湾曲中心Ｙを中心とする半径２Ｒ（Ｒはローランド円半径）で湾曲させ、また、対称カット分光結晶２は湾曲結晶面中心Ｏを中心とする半径２Ｒで湾曲させるものであり、さらに、ローランド球に沿って球状に湾曲させるダブルベントであり、
　非対称カット分光結晶１と対称カット分光結晶２はその結晶格子の方向を示す結晶格子面ｔと結晶の切削方向を示す結晶表面ｕを有しており、結晶の切出し角度αは結晶格子面ｔと結晶表面ｕの成す角度であって、
　非対称カット分光結晶１と対称カット分光結晶２の分光中心点Ｐ１、Ｐ２はローランド円ｒ上に接して配置され、
　非対称カット分光結晶１と非対称カット分光結晶２は、Ｘ線を回折角２θでブラッグの式（１）ｎλ＝２ｄsinθ（θ＝ブラッグ角）を満足させながら分光し、
　Ｘ線は円Ｃの接点Ａから分光結晶の分光中心点Ｐに向けて放出され、分光中心点Ｐから円Ｃの接点Ｂに向けて分光される、接点ＡをＸ線源とし、接点Ｂを試料または検出器のスリット面とするＸ線モノクロメータの集中光学系。」
　
　
３．対比
（１）本願発明と引用発明との対比
（ａ）引用発明の「分光結晶」が、少なくとも１つの格子面を有することは技術常識であり、引用発明の「接点Ａ」と「接点Ｂ」とを結ぶ線が、本願発明の「Ｘ線源／標的線」に相当し、また、引用発明の「分光結晶」は、「ローランド球に沿って球状に湾曲させるダブルベントであ」り、本願発明の「二重湾曲光学結晶」に相当することは明らかであるから、引用発明の「ヨハン式モノクロメータの分光結晶」の「複数枚の分光結晶によって構成した分光結晶を用いたＸ線モノクロメータの集中光学系であって、」「さらに、ローランド球に沿って球状に湾曲させるダブルベントであり、」「非対称カット分光結晶１と対称カット分光結晶２の分光中心点Ｐ１、Ｐ２はローランド円ｒ上に接して配置され、」「Ｘ線は円Ｃの接点Ａから分光結晶の分光中心点Ｐに向けて放出され、分光中心点Ｐから円Ｃの接点Ｂに向けて分光される、接点ＡをＸ線源とし、接点Ｂを試料または検出器のスリット面とするＸ線モノクロメータの集中光学系」が、本願発明の「複数の二重湾曲光学結晶であって、その各々が少なくとも１つの格子面を有し、半径Ｒの少なくとも１つのローランド円及びＸ線源とＸ線標的とを結ぶＸ線源／標的線を形成するように前記Ｘ線源と前記Ｘ線標的とに従って位置決めされる、前記複数の二重湾曲光学結晶、を備えたＸ線を方向付けるための光学デバイスにおいて、前記Ｘ線を前記Ｘ線源から前記Ｘ線標的に点対点集束させ」る構成に相当する。
　
（ｂ）引用発明の「その複数枚の分光結晶の内、非対称カット分光結晶１は湾曲中心Ｙを中心とする半径２Ｒ（Ｒはローランド円半径）で湾曲させ、また、対称カット分光結晶２は湾曲結晶面中心Ｏを中心とする半径２Ｒで湾曲させるものであ」る構成は、本願発明の「前記複数の二重湾曲光学結晶の各々が、」「前記ローランド円の平面において２Ｒの半径の表面を有」する構成に相当する。
　
（ｃ）引用発明の「対称カット分光結晶２」、「非対称カット分光結晶１」は、それぞれ、本願発明の「第１二重湾曲光学結晶」、「第２二重湾曲光学結晶」に相当し、また、引用発明の「結晶格子面ｔと結晶表面ｕの成す角度であ」る「結晶の切出し角度α」は、本願発明の「前記複数の二重湾曲光学結晶の第１二重湾曲結晶の表面に対して該第１二重湾曲結晶の前記少なくとも１つの格子面が成す角度」及び「前記複数の二重湾曲光学結晶の少なくとも１個の第２二重湾曲結晶の表面に対して該第２二重湾曲結晶の前記少なくとも１つの格子面が成す角度」に相当するから、引用発明の「ヨハン式モノクロメータの分光結晶を結晶の切出し角度を異ならせた複数枚の分光結晶」は、本願発明の「さらに前記複数の二重湾曲光学結晶の第１二重湾曲結晶の表面に対して該第１二重湾曲結晶の前記少なくとも１つの格子面が成す角度は、前記複数の二重湾曲光学結晶の少なくとも１個の第２二重湾曲結晶の表面に対して該第２二重湾曲結晶の前記少なくとも１つの格子面が成す角度と異な」る構成に相当する。
　
（ｄ）引用発明の「結晶表面ｕ」、「結晶の切出し角度α」が、それぞれ、本願発明の「前記Ｘ線が差し向けられる表面」、「角γ」に相当するから、引用発明の「非対称カット分光結晶１と対称カット分光結晶２はその結晶格子の方向を示す結晶格子面ｔと結晶の切削方向を示す結晶表面ｕを有しており、結晶の切出し角度αは結晶格子面ｔと結晶表面ｕの成す角度であって、」「非対称カット分光結晶１と非対称カット分光結晶２は、Ｘ線を回折角２θでブラッグの式（１）ｎλ＝２ｄsinθ（θ＝ブラッグ角）を満足させながら分光」する構成は、本願発明の「前記複数の二重湾曲光学結晶は、前記Ｘ線が指し向けられる表面を備え、前記複数の二重湾曲光学結晶の少なくとも１個は、ブラッグ角θＢを有し、かつ前記複数の二重湾曲光学結晶の前記少なくとも１個の二重湾曲光学結晶の前記表面と角γを成して配向された格子面を備え」る構成に相当する。
　
（２）一致点
　してみると、両者は、
「複数の二重湾曲光学結晶であって、その各々が少なくとも１つの格子面を有し、半径Ｒの少なくとも１つのローランド円及びＸ線源とＸ線標的とを結ぶＸ線源／標的線を形成するように前記Ｘ線源と前記Ｘ線標的とに従って位置決めされる、前記複数の二重湾曲光学結晶、を備えたＸ線を方向付けるための光学デバイスにおいて、
　前記Ｘ線を前記Ｘ線源から前記Ｘ線標的に点対点集束させ、
　前記複数の二重湾曲光学結晶の各々が、前記ローランド円の平面において２Ｒの半径の表面を有し、
　さらに前記複数の二重湾曲光学結晶の第１二重湾曲結晶の表面に対して該第１二重湾曲結晶の前記少なくとも１つの格子面が成す角度は、前記複数の二重湾曲光学結晶の少なくとも１個の第２二重湾曲結晶の表面に対して該第２二重湾曲結晶の前記少なくとも１つの格子面が成す角度と異なり、
　前記複数の二重湾曲光学結晶は、前記Ｘ線が指し向けられる表面を備え、前記複数の二重湾曲光学結晶の少なくとも１個は、ブラッグ角θＢを有し、かつ前記複数の二重湾曲光学結晶の前記少なくとも１個の二重湾曲光学結晶の前記表面と角γを成して配向された格子面を備える光学デバイス。」で一致し、次の点で相違する。
　
（３）相違点
　二重湾曲光学結晶の配置について、本願発明では、「前記複数の二重湾曲光学結晶の各々が、前記ローランド円の円周上を中間列とする２列以上のマトリックス状又はモザイク状に配置され、」「前記中間列に対する上段列又は下段列に配置された前記複数の二重湾曲光学結晶は、前記二重湾曲光学結晶の中間列から前記ローランド円の平面に対して直交する方向に偏位されている」構成であるのに対して、引用発明では、「非対称カット分光結晶１と対称カット分光結晶２の分光中心点Ｐ１、Ｐ２はローランド円ｒ上に接して配置され」るのみである、すなわち、引用発明は、本願発明の「中間列」を有するのみで、上段列又は下段列を有さない点で相違する。
　
４．判断
（１）相違点について
　Ｘ線源からＸ線標的に点対点集束させる光学デバイスにおいて、Ｘ線標的において、できるだけ多くのＸ線を集束させるために、複数の湾曲光学結晶をＸ線源／標的線を中心として円環状に配置すること、すなわち、任意のローランド円上の湾曲光学結晶を基準にして、そのローランド円の平面に対して直交する方向の上又は下に湾曲光学結晶を配置することは、特開昭５５−９０８４７号公報（特に、第３頁左上欄第３行〜左下欄第８行、第１〜４図参照）、HASTINGS J B ET AL: Local-Structure Determination at High Dilution: Internal Oxidation of 75-ppm Fe in Cu PHYSICAL REVIEW LETTERS, 10 DEC. 1979, USA, vol. 43, no. 24, pages 1807-1810, XP-002276867（特に、第１８０７頁右欄第２５行〜第１８０８頁右欄第１１行、ＦＩＧ．１参照）、特開平６−１８７００号公報（特に、段落【０００５】、【００１０】、図１、４参照）に示されるように周知技術であるから、検出強度の向上を目的とする（引用文献の段落【００１４】等参照）引用発明において、さらに検出強度を向上させるために、上記周知技術を採用して、「非対称カット分光結晶１」と「対称カット分光結晶２」の「ローランド円ｒ」の平面に対して直交する方向の上又は下に、さらに、「非対称カット分光結晶１」と「対称カット分光結晶２」を配置し、上記相違点に係る本願発明の発明特定事項を得ることは当業者が容易に想到し得ることである。
　
（２）効果について
　本願発明が奏し得る効果は、引用発明及び周知技術から当業者が予測し得る範囲のものであって格別なものではない。
　
（３）結論
　したがって、本願発明は、引用発明及び周知技術に基いて当業者が容易に発明をすることができたものであるから、特許法第２９条第２項の規定により特許を受けることができない。
　
　
第３　むすび
　以上のとおり、本願発明は、引用発明及び周知技術に基いて当業者が容易に発明をすることができたものであり、特許法第２９条第２項の規定により特許を受けることができないから、本願の他の請求項に係る発明について検討するまでもなく、本願は拒絶されるべきものである。
　よって結論のとおり審決する。